(57)【要約】【課題】左右に配置した仕切り体の間を通路と成し、この通路を左右仕切り体に設けた水平回動式のゲートで開閉するゲート装置において、通路幅を広狭大きく変更できるようにすると共に安全性も向上させる。【解決手段】左右のゲート６は、通路を閉じた状態で前後にずれた状態になるように仕切り体１に取り付けられている。左右のゲートは干渉しないため通路４の幅は小さい寸法に狭めることができ、また、ゲート６の間に手を挟んでも、ゲート６は強制的に回動させ得るため安全性を確保できる。１つの仕切り体１に左右１つのゲート６を設けた場合、左右のゲート６は前後にずれるため、ゲート６を駆動する２つのモータは干渉するこなく左右間隔を狭めることができ、このため仕切り体１の横幅を小さくしてスペースを有効利用できる。【選択図】図２
2007179120.tif 000002
【特許請求の範囲】
【請求項１】
人の通路を形成するための左右一対の仕切り体の各々に、前記通路を開閉するためのゲートが、一方の仕切り体のゲートは通路閉じ姿勢において他方の仕切り体に向いて延び、他方の仕切り体のゲートは通路閉じ姿勢において一方のゲートに向いて延びるようにそれぞれ水平回動自在に設けられているゲート装置であって、
前記左右仕切り体のゲートを、通路閉じ姿勢において先端が通路の通行方向から見て前後にずれるように設定している、
人通行用ゲート装置。
【請求項２】
人の通路を形成するための平面視細長い形状の仕切り体に、通路の通行方向から見て左右両側に位置した一対のゲートを、平面視で仕切り体と略直交した方向に延びる通路閉じ姿勢と仕切り体と重なるように延びる通路開き姿勢と水平回動自在に設けることにより、仕切り体を挟んだ両側にゲートで開閉される通路が形成されるようになっているゲートユニットであって、
前記一対のゲートはそれぞれ鉛直方向に延びる回転軸に取り付けられていると共に、前記回転軸にはこれを回転させるアクチュェータが直接に又は連動手段を介して連結されており、かつ、一方のゲートの回転軸と他方のゲートの回転軸とを通路の通行方向から見て前後にずらして配置している、
人通行用ゲート装置を構成するゲートユニット。
【発明の詳細な説明】
【技術分野】
【０００１】
本願発明は、各種施設やイベント会場などの出入り口に設置するゲート装置及びこれを構成するゲートユニットに関するものである。
【背景技術】
【０００２】
ゲート装置は、例えば、許可された特定の人だけの通行を可能とするため、或いは、単に通行可能状態と通行不能状態とに切り換えるために使用されており、前者の例としては駅等の自動改札機や有料会場の入場ゲートが挙げられる。前者の場合は、確認手段として磁気方式やＩＣ方式のカードやチケットが使用されている。
【０００３】
ゲート装置は、平面視で細長い仕切り体に水平回動（旋回）式のゲート（扉）を備えたゲートユニットを備えており、ゲートユニットを複数個並設して隣り合ったゲートユニットの間を通路と成し、この通路をゲートの水平回動によって開閉しているが、通路の開閉とゲートとの関係から見た場合、１つの通路の開閉を１つのゲートのみで行う片開き式タイプと、例えば特許文献１，２に記載されているように、隣り合った２つのゲートユニットに設けた２つのゲートを同時に回動させることで１つの通路の開閉を行う観音開きタイプとがある。
【０００４】
また、仕切り体に対するゲートの配置場所から見ると、仕切り体の端部（一般に前後両端部）にゲートを取り付けたエンドタイプと、仕切り体の前後中間部にゲートを取り付けたセンタータイプとに大別される。特許文献１は前者の構成になっており、特許文献２は後者の構成になっている。
【０００５】
そして、従来の観音開きタイプのゲートでは、例えば特許文献１の図６に開示されているように、各ゲートユニットにおいてゲートを仕切り体に取り付ける前後位置は同じであり、従って、通路を閉じた状態では、左右のゲートユニットのゲートはその先端面が対向している。
【特許文献１】特許第２６８７０６９号公報
【特許文献２】特許第３６１７１２７号公報
【発明の開示】
【発明が解決しようとする課題】
【０００６】
ところで、１つの通路を左右２つのゲートの同時回動によって開閉する観音開きタイプのゲート装置は、ゲートをコンパクト化しつつ（すなわち、ゲートの回動中心から先端までの距離小さくしつつ）通路の幅を広く取ることができる利点がある。しかし、従来のように通路の閉じ状態において左右２つのゲートの先端面が相対向しているものでは、以下のような問題があった。
【０００７】
すなわち、
(a).通路の横幅がユーザーによって異なる場合があり、また、同一ユーザーにおいても、設置場所等に応じて通路の幅を変えたいと欲する場合があるが、隣り合った左右ゲートユニットの間隔を広げることはできても、通路間隔をある程度以下に狭めると左右ゲートが干渉するため、通路の間隔を狭めることに限度がある、
(b).通路の間隔を広げるほど左右ゲートの間の隙間が広がるため、通路間隔を広げると遮蔽機能が低下する、
(c).ゲートは通路閉じ状態であってもある程度の力を掛けると水平回動させ得るようになっている場合が多いが、相対向した状態の左右ゲートの先端間に例えば人の手や物が挟まると、ゲートと手や物とが突っ張った状態になってゲートを回動させることができず、このため安全機能が低下する虞がある、
(d).ゲートユニットを多数並設して１つのゲートのユニットの左右両側に通路を形成することが多く、この場合、左右両側に通路が空くようになっているゲートユニットでは、左右のゲートを前後同じ位置に左右に並べて配置しているが、ゲートはモータのようなアクチュェータで駆動していて、アクチュェータの設置のためにある程度のスペースが必要であることから、仕切り体（ゲートユニット）の左右横幅が広くなってスペースの有効利用が図れない（すなわち、アクチュェータの設置場所を除いた部分では仕切り体の幅を小さくできるのに、アクチュェータの設置のためだけに仕切り体の全体の横幅が広くなってしまい、結果として仕切り体（ゲートユニット）の左右横幅が大きくなってスペースを有効利用できない）、
といった問題があった。
【０００８】
本願発明は、このような問題を解消することを課題とするものである。
【課題を解決するための手段】
【０００９】
本願発明は、ゲート装置とこれに使用するゲートユニットとを含んでおり、ゲート装置は、請求項１に記載したように、人の通路を形成するための左右一対の仕切り体の各々に、前記通路を開閉するためのゲートが、一方の仕切り体のゲートは通路閉じ姿勢において他方の仕切り体に向いて延び、他方の仕切り体のゲートは通路閉じ姿勢において一方のゲートに向いて延びるようにそれぞれ水平回動自在に設けられているものであり、特徴として、前記左右仕切り体のゲートを、通路閉じ姿勢において先端が通路の通行方向に向いた方向から見て前後にずれるように設定している。
【００１０】
ゲートユニットの発明は、請求項２に記載したように、基本構成としては、人の通路を形成するための平面視細長い形状の仕切り体に、通路の通行方向から見て左右両側に位置した一対のゲートを、平面視で仕切り体と略直交した方向に延びる通路閉じ姿勢と仕切り体と重なるように延びる通路開き姿勢と水平回動自在に設けることにより、仕切り体を挟んだ両側にゲートで開閉される通路が形成されるようになっている。
【００１１】
そして、前記一対のゲートはそれぞれ鉛直方向に延びる回転軸に取り付けられていると共に、前記回転軸にはこれを回転させるアクチュェータが直接に又は連動手段を介して連結されており、かつ、一方のゲートの回転軸と他方のゲートの回転軸とを通路の通行方向から見て前後にずらして配置している。ここにアクチュェータの例としては、モータや電磁ソレノイドなどが挙げられ、モータやロータリーソレノイドを使用する場合は主軸を回転軸に直結すると構造が簡単になって好適である。
【発明の効果】
【００１２】
請求項１のように構成すると、
(A).通路を通行しようとする人から見た状態で、左右仕切り体のゲートを互いに干渉させることなく互いに重複させた状態にすることができるため、左右仕切り体の間隔を従来技術に比べて格段に狭くすることができる、
(B).同様に、通路を通行しようとする人から見た状態で左右仕切り体のゲートを互いに干渉させることなく重複させた状態にすることができるため、左右仕切り体の間隔を大きく広げた状態においても通路をきっちりと閉じた状態に保持することが可能となり、このため、高い遮蔽機能を確保できる、
(c).閉じ状態における左右ゲートはその先端面が対向することはないため、左右ゲートの間（例えば先端部間）に人の手や物が挟まっても、手や物の挟まり状態はゲートを水平回動させることで解除することができ（換言すると、手や物が挟まった場合にゲートを強制的に回動させる機能が損なわれない）、このため、安全機能を確保できる、
といった効果を奏する。
【００１３】
また、請求項２のように構成すると、同一種類のゲートユニットを並設することにより、請求項１の形態のゲート装置を構成することができて、請求項１と同様の効果を発揮でき、更に、ゲートを駆動するアクチュェータは前後方向（通路を通る人から見て前後方向）にずれているため、アクチュェータの設置スペースの必要性のために仕切り体の左右横幅（厚さ）が必要以上に大きくなることはなく、このため、仕切り体（ゲートユニット）を薄型化してスペースを有効利用できる（つまり、ゲートユニットの設置間隔は従来と同じのままで通路の横幅を広げて通行し易くしたり、或いは、通路は従来の幅にしてゲートユニットの設置間隔を狭くすることで出入り口の間隔を狭めたり通路の数を増やしたりすることができる）という効果も発揮できる。
【発明を実施するための最良の形態】
【００１４】
次に、本願発明の実施形態を図面に基づいて説明する。
【００１５】
(1).第１実施形態の概略
図１〜図６では第１実施形態を示している。図１はゲート装置群の全体の概略斜視図、図２はゲート装置群の全体の平面図であり、ゲート装置群は、平面視で細長い仕切り体１を有するゲートユニット２，３の複数個で構成されており、複数のゲートユニット２，３を並列配置することにより、隣り合ったゲートユニット２，３の間に１人の人が通行できる通路４が形成されている。以下の説明では「左右」の文言を使用するが、この左右は、通路４を通行する人の姿勢を基準にしている。
【００１６】
隣り合った２つのゲートユニット２，３によって単位ゲート装置５が構成されており、この単位ゲート装置５が請求項１に記載したゲート装置に該当する。また、左右に隣り合った単位ゲート装置５は１つのゲートユニット３を共用している。
【００１７】
ゲート装置群の両端を構成するゲートユニットは符号２を付してエンドゲートユニット２と表示し、エンドゲートユニット２の間に配置されたゲートユニットは符号３を付して中間ゲートユニット３と表示している。両者を特に区別する必要がない場合は、単にゲートユニット２，３として表示している。
【００１８】
各ゲートユニット２，３は、仕切り体１の左右広幅面の箇所に通路４を開閉するためのゲート６を水平回動自在に取り付けているが、中間ゲートユニット３はその両側に通路４が存在するため、仕切り体１の左右広幅面にそれぞれ一対のゲート６を取り付けている一方、エンドゲートユニット２では、通路４に面した片面だけにゲート６を取り付けている。各ゲートユニット２，３は基本的には同じ形態・構造であり、エンドゲートユニット２においても左右両広幅面の箇所にゲート６を取り付けておくことは可能である（通路４は反対側のゲート６を使用しなければよい。）。
【００１９】
各ゲートユニット２，３の仕切り体１は、カバー板７で覆われて中空状に構成されており、前後両端部を構成するフロント部８の上部に、進入可能か否かを視覚的に表示する進入案内部９を設け、更に、進入案内部９の上方にはカードリーダ１０を設けている。前後カードリーダ１０は上方に突出した形態になっており、前後カードリーダ１０の間には透明又は不透明の板材１１を配置し、その前後両側の部分を点灯式の通行確認部１１ａとなしている。
【００２０】
なお、通行確認部１１ａは通行の適否を表示するものであって赤やブルー、紫等の任意の色に発光可能になっており、例えば、カードが不適正であったりカードを使用せすに通行しようとした場合に点灯するように設定している。敢えて述べるまでもないが、カードリーダ１０は使用されるカードの方式に応じて接触式又は非接触式が採用できる（勿論両者を併設してもよい。）。
【００２１】
フロント部８は平断面視で前後外側に向けて左右間隔が狭くなる台形状に形成されており、進入案内部９はフロント部８の縦長中心線を挟んで左右に分離されており、かつ、通路４に入り込んだ面まで広がっている。進入案内部９は内蔵した灯具により、例えば青（ブルー又はグリーン）と赤とに選択的に点灯させることができ、通行しようとする人に、その案内表示部９が面した通路４が通行可能であるか否かを視認させることができる。本実施形態では進入案内部９にも改良を施しており、この点は後述する。
【００２２】
仕切り体１の左右両広幅面の箇所は、前後フロント部８の間において内向きに凹んだ側面視矩形の凹所１２になっており、ゲート６は、人が通路４を通行できるように開いた（退避した）状態で凹所１２の内部に入り込むようになっている。なお、凹所１２の前後幅寸法や上下幅寸法はゲート６の大きさに応じて任意に設定できる。
【００２３】
ゲート６は凹所４の前後略中間部に配置した回転軸１３に取り付けられて水平回動自在となっている。この場合は、通路４を開いた通路開き姿勢（退避姿勢）で回転軸１３の前方と後方とのいずれの方向にも回動可能であり、従って、仕切り体１の片面に１のゲート６を備えているタイプでありながら、通路４はいずれの方向にも通行可能である。敢えて述べるまでもないが、ゲート６は人の進行方向の前方側に向けて回動する。
【００２４】
そして、中間ゲートユニット３においては、図２に示すように、左右ゲート６の回転軸１３は、仕切り体１を前後に分断する横長中心線１４を挟んだ両側にずらして配置されている。左右ゲート６を前後にずらした寸法はゲート６の厚さよりも大きい寸法に設定しており、従って、単位ゲート装置５において、左右のゲート６で通路４を仕切った閉じ状態では左右ゲート６の先端面は互いに対向することなく前後方向にずれている。換言すると、閉じ状態において左右ゲート６の先端部の間に適宜間隔Ｅの隙間が空いている。
【００２５】
このように閉じ状態で左右ゲート６が前後にずれているため、発明の効果で説明したように、通路４の幅Ｗを狭めることができる（極端にいうと、ゲート６の横向き突出寸法に近い寸法まで狭めることができる）という効果や、左右ゲート６の先端部間に手や物が挟まってもゲート６の回動が許容されて安全性を確保できるなどの効果が発揮されれるのである。
【００２６】
(2).ゲートの取り付け構造
次に、ゲート６の取り付け構造の詳細を図３〜図６に基づいて説明する。図３は中間ゲートユニット３の側面図、図４はゲート装置群の正面図、図５のうち（Ａ）は一部破断側面図、（Ｂ）は図６（Ａ）の VB-VB視断面図、図６のうち（Ａ）は図５（Ａ）の VIA-VIA視断面図、（Ｂ）は（Ａ）の部分拡大図である。
【００２７】
ゲート６は例えば合成樹脂製で略矩形に形成されており、回転軸１３にはビス止めやキー係合等の手段で相対回転不能に固定されている。ゲート６には多数の穴が空いているが、これは、開閉に際しての空気抵抗を抑制することを１つの目的としている。敢えて述べるまでもないが、ゲート６は例えば先端部を半円状に形成するなど任意の形態を採用することができ、また、格子状に形成したり単なるフレーム状に形成することが可能である。
【００２８】
図３に簡単に示すように、仕切り体１はその骨組みを構成する上下の基枠１６，１７を備えており、図５（Ａ）に示すように、回転軸１３は、上基枠１６に固定した上ベース１８と、下基枠１７に固定された第１ブラケット１９に固定された下ベース２０とに回転自在に取り付けられている。第１ブラケット１９は第２ブラケット２１を介して下基枠１７に固定されており、回転軸１３は、第２ブラケット２１に固定したモータ２１の主軸に継手（カップリング）２２を介して直結されている。
【００２９】
中間ゲートユニット３では回転軸１３及びモータ２１は左右に２個ずつ存在しているが、左右の回転軸１３及びモータ２１は前後方向にずれている。
【００３０】
回転軸１３の上部は上ベース１８の上方に突出しており、この上向き突出部に、回転位置保持用カム２３と回転位置検出用の３段式ドグ２４とを相対回転不能に固定しており、更に、上端部はロータリーエンコーダ２５の検出軸に接続されている。ロータリーエンコーダ２５は上基枠１６に固定された第３ブラケット２６に固定されている。
【００３１】
また、上基枠１６の上面には、ドグ２４の外周面に当接する接触し（図示せず）を有する３段式のリミットスイッチ２７が固定されている。リミットスイッチ１７は、ドグ２４の回転により、ゲート６の通路閉じ姿勢（通路４を横切っている姿勢）と、前後２つの通路開き姿勢（退避姿勢）とを検出するもので、リミットスイッチ２７によってモータ２１を制御する。また、ロータリーエンコーダ２５は一種の非常用停止手段であり、リミットスイッチ２７が機能を阻害した場合は、ロータリーエンコーダ２５で検出した回転軸１３の回転度に基づいてモータ２１を停止させるようになっている。
【００３２】
カム２３は円形の周面カムであり、その外周面に形成した円弧状の嵌合部２８，２９にローラ３１が嵌まることで、ゲート６の姿勢を選択的に保持するようになっている。
【００３３】
すなわち、ローラ３１は、上基枠１６に設けた枢支軸３２に水平回動自在に取り付けられたアーム３３の横向き張り出し部３３ａに水平回転自在に取り付けられており、上基枠１６に固定した第４ブラケット３４とアーム３３とに装架した引っ張りばね３５とにより、ローラ３１はカム２３の外周面に弾性的に当接するように付勢されている一方、カム２３の外周面に、ゲート６が通路４を横切っている通路閉じ姿勢のときにローラ３１が嵌まる第１嵌合部２８と、ゲート６が仕切り体１の凹所１２に入り込んだ通路開き姿勢（退避姿勢）になるとローラ３１が嵌まる２個の第２凹所２９とを形成することにより、ゲート６が通路閉じ姿勢と前向き又は後ろ向きのいずれかの通路開き姿勢とに選択的に保持されるようになっている。
【００３４】
ゲート６は通路閉じ姿勢を挟んだ両側に９０度ずつ回動するので、第１凹所２８と両第２凹所２９との周方向の間隔は９０度ずつになっている。また、ローラ２３が取り付いているアーム３３はスペース効率の点から左右横長に配置されている。
【００３５】
また、敢えて述べるまでもないが、左右の回転軸１３及びモータ２１は、仕切り体１を前後に分断する横長中心線１４を挟んだ前後対称の位置で、かつ、仕切り体１を左右に分断する縦長中心線３６を挟んだ左右対称の位置に配置されている。回転軸１３とモータ２１を前後にずらしていることにより、仕切り体１の左右横幅寸法を小さくして、スペースを有効利用できると共に、部材の使用量を少なくしてコストダウンを図ることができる。
【００３６】
回転軸１３にモータ２３の主軸やロータリーソレノイドの主軸を直結したようようなアクチュェータ直結方式では構造を簡単化できる利点があるが、ギアやベルトのような電動機構を使用した場合に比べてアクチュェータの設置場所の融通性が低くなり、このため、アクチュェータを左右に併設すると仕切り体１の左右幅寸法が大きくなる。これに対して本願発明のように構成すると、回転軸１３をモータの主軸等に直結した方式であっても、仕切り体１の左右幅寸法を大きくすることなくアクチュェータを左右に配置でき、このため、本願発明は回転軸１３とアクチュェータとを直結した方式において特に有益である。
【００３７】
(3).カムの改良
ゲートを通路閉じ姿勢と通路開き姿勢とに選択的に保持する手段としては、円形のカムとローラとの組み合わせのような様々の構成が採用されている。特許文献２の場合は、往復動式ソレノイドでリンク群を介して回転軸を駆動しているが、リンクの形態を工夫して姿勢保持しているようである。（背景技術）。
【００３８】
ところで、この種のゲート装置においてゲートは相当のスピードで回動させるものであり、このため、停止するに際して大きな慣性力が作用している。このため、例えばゲートが通路閉じ姿勢から通路開き姿勢に移行するに際してバタンという状態で停止して大きな衝撃と衝突音が発生することが多々あり、このため人に不快感を与えると共に、部材の耐久性が低下することが懸念されるという問題があった。本実施形態のカムはこのような問題を解消することを課題としている。（発明が解決しようとする課題）。
【００３９】
前記課題を解決するため本実施形態では、図６（Ｂ）に示すように、カム２３の外周面のうち第１嵌合部２８と第２嵌合部２９との間に位置するカム面（ローラ３１が当接する面）３７に工夫を加えている。すなわち、カム面３７のうち嵌合部２８，２９に近接した部位を、嵌合部２８，２９に近づくに従って回転中心からの距離Ｒが大きくなる突起部３７ａとしている。
【００４０】
このように構成すると、ローラ３１がカム面３７から嵌合部２８，２９に移行するに際して、突起部３７ａの存在によって回転軸１３の回転に対する抵抗が大きくなるため、一種のダンパー効果又はクッション効果が発揮されて、回転軸１３の回転停止をゆっくり行うことができる（ローラ３１が突起部３７ａを乗り越えるよち際してモータ３１が減速される）。（作用）。
【００４１】
これにより、ゲート６を通路開き姿勢や通路閉じ姿勢に保持するにおいて、バタンと衝撃をもって回動が停止することを防止又は著しく抑制して、ゲート６開閉の静粛性と部材の耐久性向上とを確保できるのである。（効果）。
【００４２】
本実施形態は、回転軸１３の回転に抵抗を付与することでゲート６の急激な回動停止を阻止するものであるが、通路開き姿勢又は通路閉じ姿勢に移行するに際して回転抵抗を付与するための抵抗付与手段又は回転抵抗を大きくする抵抗増大手段しては周面をカムを使用することには限らず、例えば磁石によって抵抗を付与するなど他の手段も採用できる。また、カムを使用する場合、端面カムのような他のタイプのカムも採用できる。ローラ３１はカムに当接する摺接子の一例である。なお、ゲート６は通路開き姿勢に移行するときに衝撃が発生するため、抵抗付与手段又は抵抗増大手段は、少なくとも、ゲート６が通路閉じ姿勢から通路開き姿勢に移行するときの終期に機能するように設けたらよい。
【００４３】
いうまでもないが、抵抗付与手段又は抵抗増大手段はゲートの配置とは関係なく、ゲート装置一般に広く適用できるものである。
【００４４】
(4).第２実施形態（図７）
図７では請求項１の発明の第２実施形態を示している。すなわちこの実施形態では、仕切り体１にゲート６の回転軸１３及び直結式アクチュェータ（モータ）３１を左右に一列状に並べた場合において、通路閉じ姿勢でゲート６を横長中心線１４に対して平面視で若干の角度だけ傾けることにより、１つの通路４を遮断する２つのゲート６が前後にずれるように設定している。この実施形態でも、通路４の幅を従来より狭めたりできる利点や、ゲート６の間に手を挟んでも安全であるといった利点を有している。
【００４５】
(5).進入案内部の改良
この種のゲート装置では、人が通行できる方向を切り換えたり、或いは、通行そのものができる状態とできいない状態とに切り換えできるようになっている。従って、ゲート装置には、通行可能であるか否かやどのゲート装置を通行できるかということを視覚的に把握せしめるための進入案内部を設けている。そして、従来のゲート装置では、進入案内部は、ゲート装置を構成する仕切り体の前後両面に一つだけ設けており、赤と青との色彩の切り換えたり、或いは、○と×との印を点灯させたりしている。（背景技術）。
【００４６】
一般に、カードやチケット（切符）を読み取るリーダーは通路の右側に配置された仕切り体に設けており、そこで、進入案内部も通路の右側に位置した仕切り体のものを点灯させているが、多数の仕切り体が並設されている場合など、どの通路を通行可能であるか分かりにくい場合がある。
【００４７】
また、仕切り体の前後両側にそれぞれゲートを設けている場合は、入り口の手前のゲートが開いている状態や閉じている状態を視認することで通行可能か否かを判断しやすいが、ゲートが仕切り体の前後略中間部に配置されている場合はゲートの開閉状態を遠くから（特に斜め方向から）は視認し難く、また、そもそもゲートが閉じていると通行できるのか否かさえ判断できない。従って、仕切り体の略中間部にゲートを設けているタイプのゲート装置では、通行可能であるか否かを特に視認し難いといえる。第１実施形態における進入案内部はこのような現状を改善することを課題としている。（課題）。
【００４８】
前記の課題を解決するための工夫として、本実施形態では、仕切り体１の前後両側又は片側に人が視認可能な点灯式進入案内部を設けているゲート装置において、通路を通る人を基準にして進入案内部９を左右２つに分離して、各進入案内部９を独立して点灯できるようにしている。正確に述べると、２つの進入案内部は、仕切り体１を左右に分離する縦長中心線を境にして左右に振り分けて配置している。（手段）。
【００４９】
このように構成すると、右側に位置した進入案内部は仕切り体の右側の通路に面するか又は偏った状態になる一方、左側に位置した進入案内部は仕切り体の左側の通路に面するか又は偏った状態になり、２つの進入案内部と２つの通路との対応関係が視覚的に明確になるため、通路を通行しようとする人は、どの通路が通行可能であるか否かを遠くからもでも瞬時に把握できる。このため、人を通行可能な通路にスムースに導いたり、通行不能であることを早い段階で知らしめて不愉快な思いをさせないことができる。（効果）。
【００５０】
図８では進入案内部９の別例を示している（図８は請求項１，２の実施形態としてもよい）。このうち（Ａ）に示す例では、仕切り体１の前後フロント部８を平断面視で外向き凸の半円状（円弧状）に形成して、その上部に左右分離方式の進入案内部９を設けている。進入案内部９は第１実施形態と同様に内蔵した灯具を点灯させるようになっており、各進入案内部９は通路４に入り込んだ状態になっている。
【００５１】
（Ｂ）に示す例では、フロント部８は平断面視で外向き凸の半円状に形成して、進入案内部９は平断面視で外向き凸のＶ形に形成しており、また、通行の可否は二重丸と×印との点灯切り換えで表示するようになっている。また、（Ｃ）に示す例ではフロント部８は上下全長にわたってＶ形に形成しており、進入案内部９では、通行可能状態のときに点灯すると矢印が表示されるようになっている。いずれの例でも、進入案内部９はフロント部８の上下略全長にわたった延びるように形成することも可能である。
【００５２】
また、進入案内部９は、その一部又は全部が通路４に面するように平面視で傾斜状又は湾曲状（外向き凸の湾曲と外向き凹の湾曲とを含む）に形成すると、通路４を正面から向いた状態でも斜め方向から向いた状態でも通路４との関係を視認し易くて好適である。いうまでもないが、本実施形態で開示した進入案内部の改良は各種のゲート装置に広く適用できる。
【図面の簡単な説明】
【００５３】
【図１】第１実施形態に係るゲート装置群の全体の概略斜視図である。
【図２】ゲート装置群の全体の平面図である。
【図３】中間ゲートユニットの側面図である。
【図４】ゲート装置群の正面図である。
【図５】（Ａ）はゲートユニットの一部破断側面図、（Ｂ）は図６（Ａ）の VB-VB視断面図である。
【図６】（Ａ）は図５（Ａ）の VIA-VIA視断面図、（Ｂ）は（Ａ）の部分拡大図である。
【図７】第２実施形態の平面図である。
【図８】進入案内部の別例を示す図である。
【符号の説明】
【００５４】
１  仕切り体
２  エンドゲートユニット
３  中間ゲートユニット
４  通路
５  単位ゲート装置
６  ゲート
９  進入案内部
１３  回転軸
２１  アクチュェータの一例としてのモータ
２３  回転抵抗付与（増大）手段の一例を構成するカム
３１  回転抵抗付与（増大）手段の一例を構成するローラ
【図１】
2007179120.tif 000003
【図２】
2007179120.tif 000004
【図３】
2007179120.tif 000005
【図４】
2007179120.tif 000006
【図５】
2007179120.tif 000007
【図６】
2007179120.tif 000008
【図７】
2007179120.tif 000009
【図８】
2007179120.tif 000010